(57)【要約】【目的】  ランプ消灯後極力直ぐにランプ点灯が行える投写型映像表示装置を提供する。【構成】  システム制御回路２０は、電源ＯＦＦを示す信号を受け取ると、映像処理回路電源２３による給電及びランプ電源２４による給電を停止させる。そして、ランプ冷却電源２５に対しては最大電力給電指令を与える。これにより、ランプ冷却ファン２６は最大出力で回転する。システム制御回路２０は、温度センサ２７の計測情報に基づいて冷却が完了したかどうかを判断する。冷却完了と判断したらランプ冷却電源２５による給電を停止させる。【選択図】        図２
2005156750.tif 000002
【特許請求の範囲】
【請求項１】
ランプから出射された光をライトバルブにて光変調して映像投写する投写型映像表示装置において、前記ランプを冷却するランプ冷却部を有し、電源ＯＦＦ指令を受けたときに、電源ＯＮ時点よりも高い冷却能力で前記ランプ冷却部を駆動させるように構成されたことを特徴とする投写型映像表示装置。
【請求項２】
請求項１に記載の投写型映像表示装置において、前記ランプ又はランプ近傍の温度を計測する温度センサを備え、この温度センサの出力にて冷却完了を判定したときに前記ランプ冷却部の駆動を停止させることを特徴とする投写型映像表示装置。
【請求項３】
請求項１に記載の投写型映像表示装置において、電源ＯＦＦ指令を受けたときから所定時間の経過を計測するタイマを備え、前記所定時間が経過したときに、前記ランプ冷却部の駆動を停止させることを特徴とする投写型映像表示装置。
【発明の詳細な説明】
【技術分野】
【０００１】
この発明は、液晶プロジェクタなどの投写型映像表示装置に関する。
【背景技術】
【０００２】
投写型映像表示装置として、特許文献１記載の液晶プロジェクタのごとく、ランプ電源と映像表示回路電源が別構成とされたものが知られている。ランプとして放電ランプが用いられる場合、そのランプ寿命を延ばすために、ランプ電源ＯＦＦ後の再点灯は、ランプが十分に冷却された後（例えば、ランプ消灯から９０秒間のファン強制冷却後）に行うのが通例である。
【特許文献１】実全平４−７２２３４号
【発明の開示】
【発明が解決しようとする課題】
【０００３】
ところで、ユーザが誤って電源ＯＦＦ操作を行った場合にユーザが直ちに電源ＯＮ操作を行うことがあり、このような操作は、ブラウン管テレビ、直視型の液晶モニタ、プラズマディスプレイ等においてはなんら問題とならないが、上記のごとく、プロジェクタにおいてはランプ再点灯を直ちに行うことができず、特に家庭用プロジェクタとする場合にユーザが不満を持つことが予想される。
【０００４】
この発明は、上記の事情に鑑み、ランプ消灯後極力直ぐにランプ点灯が行える投写型映像表示装置を提供することを目的とする。
【課題を解決するための手段】
【０００５】
この発明の投写型映像表示装置は、上記の課題を解決するために、ランプから出射された光をライトバルブにて光変調して映像投写する投写型映像表示装置において、前記ランプを冷却するランプ冷却部を有し、電源ＯＦＦ指令を受けたときに、電源ＯＮ時点よりも高い冷却能力で前記ランプ冷却部を駆動させるように構成されたことを特徴とする。
【０００６】
上記の構成であれば、電源ＯＦＦ指令を受けるとランプ冷却部は電源ＯＮ時よりも高い冷却能力でランプを冷却するので、冷却完了までの時間が短縮される。よって、ランプ消灯後極力直ぐにランプ点灯が行える。
【０００７】
前記ランプ又はランプ近傍の温度を計測する温度センサを備え、この温度センサの出力にて冷却完了を判定したときに前記ランプ冷却部の駆動を停止させることとしてもよい。或いは、電源ＯＦＦ指令を受けたときから所定時間の経過を計測するタイマを備え、前記所定時間が経過したときに、前記ランプ冷却部の駆動を停止させることとしてもよい。
【発明の効果】
【０００８】
以上説明したように、この発明によれば、ランプ消灯後極力直ぐにランプ点灯が行え、ユーザの不満を軽減できるという効果を奏する。
【発明を実施するための最良の形態】
【０００９】
以下、この発明の実施形態の液晶プロジェクタを図１乃至図３に基づいて説明する。
【００１０】
図１はこの実施形態の３板式液晶プロジェクタを示した図である。ランプ１は、超高圧水銀ランプ、メタルハライドランプ等から成り、その照射光はパラボラリフレクタによって平行光となって出射され、インテグレータレンズ４へと導かれる。
【００１１】
インテグレータレンズ４は一対のレンズ群（フライアイレンズ）４ａ・４ｂから構成されており、個々のレンズ部分がランプ１から出射された光を後述する液晶ライトバルブの全面に導くようになっており、ランプ１において存在する部分的な輝度ムラを平均化し、画面中央と周辺部とでの光量差を低減する。インテグレータレンズ４を経た光は、偏光変換装置５、及び集光レンズ６を経た後、第１ダイクロイックミラー７へと導かれることになる。
【００１２】
偏光変換装置５は、偏光ビームスプリッタアレイ（以下、ＰＢＳアレイと称する）によって構成されている。ＰＢＳアレイは、偏光分離膜と位相差板（１／２λ板）とを備える。ＰＢＳアレイの各偏光分離膜は、インテグレータレンズ４からの光のうち例えばＰ偏光を通過させ、Ｓ偏光を９０°光路変更する。光路偏光されたＳ偏光は隣接の偏光分離膜にて反射されてそのまま出射される。一方、偏光分離膜を透過したＰ偏光はその前側（光出射側）に設けてある前記位相差板によってＳ偏光に変換されて出射される。すなわち、この場合には、ほぼ全ての光はＳ偏光に変換されるようになっている。
【００１３】
第１ダイクロイックミラー７は、赤色波長帯域の光を透過し、シアン（緑＋青）の波長帯域の光を反射する。第１ダイクロイックミラー７を透過した赤色波長帯域の光は、反射ミラー８にて反射されて光路を変更される。反射ミラー８にて反射された赤色光はレンズ９を経て赤色光用の透過型の液晶ライトバルブ３１を透過することによって光変調される。一方、第１ダイクロイックミラー７にて反射したシアンの波長帯域の光は、第２ダイクロイックミラー１０に導かれる。
【００１４】
第２ダイクロイックミラー１０は、青色波長帯域の光を透過し、緑色波長帯域の光を反射する。第２ダイクロイックミラー１０にて反射した緑色波長帯域の光は、レンズ１１を経て緑色光用の透過型の液晶ライトバルブ３２に導かれ、これを透過することで光変調される。また、第２ダイクロイックミラー１０を透過した青色波長帯域の光は、全反射ミラー１２、全反射ミラー１３、レンズ１４を経て青色光用の透過型の液晶ライトバルブ３３に導かれ、これを透過することで光変調される。
【００１５】
各液晶ライトバルブ３１，３２，３３は、入射側偏光板３１ａ，３２ａ，３３ａと、一対のガラス基板（画素電極や配向膜を形成してある）間に液晶を封入して成るパネル部３１ｂ，３２ｂ，３３ｂと、出射側偏光板３１ｃ，３２ｃ，３３ｃとを備えて成る。液晶ライトバルブ３１，３２，３３は、信号が供給されない状態では、光不透過の状態となる。
【００１６】
液晶ライトバルブ３１，３２，３３を経ることで変調された変調光（各色映像光）は、クロスダイクロイックプリズム１５によって合成されてカラー映像光となる。このカラー映像光は、投写レンズ１６によって拡大投写され、図示しないスクリーン上に投写表示される。
【００１７】
図２（ａ）は投写型映像表示装置の映像処理系とランプ制御系と冷却ファン制御系を示したブロック図である。映像信号処理回路２１は映像信号を入力して周波数変換（走査線数変換）や、液晶パネルの印加電圧−光透過特性に鑑みたガンマ補正処理等を行い、この補正後の映像信号（映像データ）を液晶駆動回路２２に与える。液晶駆動回路２２は、前記映像信号に基づいて液晶ライトバルブ（３１，３２，３３）を駆動する。システム制御回路２０は、映像処理回路電源２３、ランプ電源２４、及びランプ冷却電源２５の動作を制御する。映像処理回路電源２３は映像処理回路２１等への給電／停止を行う回路であり、ランプ電源２４はランプ１への給電／停止を行う回路であり、ランプ冷却電源２５はランプ冷却ファン２６への給電／停止及び電力量調整を行う回路である。温度センサ２７はランプ１の温度又はランプ１の周囲温度を計測し、この計測情報をシステム制御回路２０に与える。
【００１８】
図３は前記システム制御回路２０による液晶プロジェクタの電源ＯＦＦ時の処理内容を示したフローチャートである。システム制御回路２０は、例えばリモコン信号受光部（図示せず）から電源ＯＦＦを示す信号を受け取ると、映像処理回路電源２３による給電及びランプ電源２４による給電を停止させる（ステップＳ１）。そして、ランプ冷却電源２５に対しては最大電力給電指令を与える（ステップＳ２）。システム制御回路２０は、温度センサ２７の計測情報に基づいて冷却が完了したかどうかを判断する（ステップＳ３）。冷却完了と判断したらランプ冷却電源２５による給電を停止させる（ステップＳ４）。
【００１９】
上記の構成であれば、電源ＯＦＦ指令を受けたときには、ランプ１が消灯し映像生成は停止されるので、スクリーン上には映像は投写されない。電源ＯＦＦ指令を受けると冷却ファン２６は最大冷却能力でランプ１を冷却するので、冷却完了までの時間が短縮される。よって、ランプ消灯後極力直ぐにランプ点灯が行えることになり、ユーザの不満を軽減できる。
【００２０】
上記液晶プロジェクタがＴＶチューナ及びチューナ電源を備え、このチューナ電源への給電をシステム制御回路２０が制御することとした場合、システム制御回路２０は、電源ＯＦＦ指令を受け取ったときに、映像処理回路電源２３による給電の停止だけでなく、前記チューナ電源への給電も停止するのがよい。また、上記実施形態では、温度センサ２７にて冷却完了を判定したが、電源ＯＦＦ指令を受け取ったときから時間計測を開始するタイマを備え、このタイマにて所定時間が経過したときに冷却完了と判定するようにしてもよい。また、上記実施形態では、液晶表示パネルを用いた３板式の液晶プロジェクタを示したが、他の映像光生成系を備える投写型映像表示装置においても本発明を適用できる。
【図面の簡単な説明】
【００２１】
【図１】この発明の実施形態の液晶プロジェクタの光学系を示した構成図である。
【図２】液晶プロジェクタ映像処理系及びランプ制御系及びランプファン制御系を示したブロック図である。
【図３】処理内容を示したフローチャートである。
【符号の説明】
【００２２】
１    ランプ
２０  システム制御回路
２３  映像処理回路電源
２４  ランプ電源
２５  ランプ冷却電源
２６  ランプ冷却ファン
２７  温度センサ
３１，３２，３３  液晶ライトバルブ
【図１】
2005156750.tif 000003
【図２】
2005156750.tif 000004
【図３】
2005156750.tif 000005